(57)【要約】実施例は、暖房、換気、および空調（ＨＶＡＣ）システムと関連した少なくとも１つの要求を含む仕様を取得し、この仕様に基づき、ＨＶＡＣシステムの少なくとも１つの再生器装置の前後にわたる流体の移動および周囲空気とこの流体の混合を制御するように制御システムを構成する、ことを対象とする。
2017516053.tif 000002
【特許請求の範囲】
【請求項１】
暖房、換気、および空調（ＨＶＡＣ）システムと関連した少なくとも１つの要求を含む仕様を取得し、
前記仕様に基づき、前記ＨＶＡＣシステムの少なくとも１つの再生器装置の前後にわたる流体の移動および周囲空気と前記流体の混合を制御するように制御システムを構成する、
ことを含むことを特徴とする方法。
【請求項２】
前記ＨＶＡＣシステムおよび前記制御システムを展開し、
前記ＨＶＡＣシステムの性能を監視する、
ことをさらに含むことを特徴とする請求項１に記載の方法。
【請求項３】
前記監視に基づき前記ＨＶＡＣシステムおよび前記制御システムのうちの少なくとも１つと関連した少なくとも１つのパラメータを調整することをさらに含むことを特徴とする請求項２に記載の方法。
【請求項４】
前記少なくとも１つの再生器装置は、前記少なくとも１つの再生器装置の第１の側の第１のバルブに連結され、前記方法は、
前記流体の前記移動および前記流体の前記混合を制御するために前記第１のバルブの状態を制御するように前記制御システムを構成することをさらに含むことを特徴とする請求項１に記載の方法。
【請求項５】
前記少なくとも１つの再生器装置は、前記少なくとも１つの再生器装置の第２の側の第２のバルブに連結され、前記方法は、
前記第１および第２のバルブの開閉を交替するように前記制御システムを構成することをさらに含み、任意の所与の時点で、前記第１および第２のバルブの一方が開くように命令され、前記第１および第２のバルブの他方が閉じるように命令されることを特徴とする請求項４に記載の方法。
【請求項６】
前記少なくとも１つの再生器装置は、前記少なくとも１つの再生器装置の第１の側の第１のタービン・ファンおよび前記少なくとも１つの再生器装置の第２の側の第２のタービン・ファンに連結され、前記方法は、
前記流体の前記移動および前記流体の前記混合を制御するために各前記第１および第２のファンの、速度、位相、および位置のうちの少なくとも１つを制御するように前記制御システムを構成することをさらに含むことを特徴とする請求項１に記載の方法。
【請求項７】
前記少なくとも１つの再生器装置は、第１の再生器装置および第２の再生器装置を含み、前記方法は、
前記第１および第２の再生器装置にわたる前記流体の前記移動の指向方向について前記第１および第２の再生器装置が互いに関して位相を実質的に１８０度ずらされるように、前記制御システムを構成することをさらに含むことを特徴とする請求項１に記載の方法。
【請求項８】
前記少なくとも１つの再生器装置は、前記少なくとも１つの再生器装置の第１の側の第１のポンプおよび前記少なくとも１つの再生器装置の第２の側の第２のポンプに連結され、前記第１のポンプは、第１のベントと関連し、前記第２のポンプは、第２のベントと関連し、前記方法は、
前記流体の前記移動および前記流体の前記混合を制御するために前記第１および第２のベントの状態を制御するように前記制御システムを構成することをさらに含むことを特徴とする請求項１に記載の方法。
【請求項９】
前記第１のポンプは、第１のチェックと関連し、前記第２のポンプは、第２のチェックと関連することを特徴とする請求項８に記載の方法。
【請求項１０】
前記流体の前記移動および前記流体の前記混合を制御するために前記第１および第２のチェックの状態を制御するように前記制御システムを構成することをさらに含むことを特徴とする請求項９に記載の方法。
【請求項１１】
少なくとも１つの再生器装置を備える暖房、換気、および空調（ＨＶＡＣ）システムと、
前記少なくとも１つの再生器装置の前後にわたる流体の移動および周囲空気と前記流体の混合を制御するように構成された制御システムと、
を備えることを特徴とするシステム。
【請求項１２】
前記少なくとも１つの再生器装置の第１の側に連結された第１のバルブと、
前記少なくとも１つの再生器装置の第２の側に連結された第２のバルブと、
をさらに備え、
前記制御システムは、前記流体の前記移動および前記流体の前記混合を制御するために前記第１および第２のバルブの状態を制御するように構成されることを特徴とする請求項１１に記載のシステム。
【請求項１３】
前記制御システムは、前記第１および第２のバルブに交互に開閉するよう命令するように構成され、任意の所与の時点で、前記第１および第２のバルブの一方は、開くように命令され、前記第１および第２のバルブの他方は、閉じるように命令されることを特徴とする請求項１２に記載のシステム。
【請求項１４】
前記少なくとも１つの再生器装置の第１の側で前記少なくとも１つの再生器装置に連結された第１のタービン・ファンと、
前記少なくとも１つの再生器装置の第２の側で前記少なくとも１つの再生器装置に連結された第２のタービン・ファンと、
をさらに備え、
前記制御システムは、前記流体の前記移動および前記流体の前記混合を制御するために各前記第１および第２のファンの、速度、位相、および位置のうちの少なくとも１つを制御するように構成されることを特徴とする請求項１１に記載のシステム。
【請求項１５】
前記少なくとも１つの再生器装置は、第１の再生器装置および第２の再生器装置を含み、
前記制御システムは、前記第１および第２の再生器装置にわたる前記流体の前記移動の指向方向について前記第１および第２の再生器装置が互いに関して位相を実質的に１８０度ずらされるように、構成されることを特徴とする請求項１１に記載のシステム。
【請求項１６】
前記少なくとも１つの再生器装置の第１の側で前記少なくとも１つの再生器装置に連結された第１のポンプと、
前記少なくとも１つの再生器装置の第２の側で前記少なくとも１つの再生器装置に連結された第２のポンプと、
をさらに備え、
前記第１のポンプは、第１のベントと関連し、
前記第２のポンプは、第２のベントと関連し、
前記制御システムは、前記流体の前記移動および前記流体の前記混合を制御するために前記第１および第２のベントの状態を制御するように構成されることを特徴とする請求項１１に記載のシステム。
【請求項１７】
前記第１のポンプは、第１のチェックと関連し、前記第２のポンプは、第２のチェックと関連することを特徴とする請求項１６に記載のシステム。
【請求項１８】
前記制御システムは、前記流体の前記移動および前記流体の前記混合を制御するために前記第１および第２のチェックの状態を制御するように構成されることを特徴とする請求項１７に記載のシステム。
【発明の詳細な説明】
【技術分野】
【０００１】
本発明は、暖房、換気、および空調（ＨＶＡＣ）システムに関する。
【背景技術】
【０００２】
磁気熱量、電気熱量、および熱弾性効果のような場活性加熱／冷却工程に基づくヒート・ポンプは、従来の冷媒ベースの暖房、換気、および空調（ＨＶＡＣ）システムに取って代わる可能性がある。特に電気熱量効果ベースのデバイスは、高い成績係数（ＣＯＰ）および能力を提供するために可動部品を必要としない完全固体型デバイスをもたらしてもよい。挙げられた効果は、相対的に低い温度上昇を提供し、再生熱交換器の形式で再生は、環境制御のために必要なレベルへの上昇を強めるために適用されてもよい。
【０００３】
場活性物質は、適用された場を循環させる場合にほぼ可逆的に熱くなり冷たくなる。空間加熱／冷却能力を提供するために、物質内で交互に起こる加熱または冷却は、空間内の冷却または加熱を必要とするかどうかに基づき同期方式で屋内または屋外空間のいずれか一方に伝導される必要がある。この熱スイッチング機能を実行する１つの手段は、活性要素内に、および活性要素から外に作動流体を並進させることである。この流体は、温度上昇が利用のために適切である場合にユニットを通して完全に並進するが、一方、温度上昇を強めるために再生を必要とする場合にユニットを通して部分的にのみ並進する。この場合に、移動する空気は、再生熱貯蔵の機能を果たす。活性装置は、流体並進が完全であろうと部分的であろうと、「再生器」と本明細書で言われる。本発明は、同期方式で再生器内の作動流体の移動を制御する手段を説明する。
【発明の概要】
【課題を解決するための手段】
【０００４】
実施例は、暖房、換気、および空調（ＨＶＡＣ）システムと関連した少なくとも１つの要求を含む仕様を取得し、この仕様に基づき、ＨＶＡＣシステムの少なくとも１つの再生器装置の前後にわたる流体の移動および周囲空気とこの流体の混合を制御するように制御システムを構成する、ことを含む方法を対象とする。
【０００５】
実施例は、少なくとも１つの再生器装置を備える暖房、換気、および空調（ＨＶＡＣ）システムと、少なくとも１つの再生器装置の前後にわたる流体の移動および周囲空気とこの流体の混合を制御するように構成された制御システムと、を備えるシステムを対象とする。
【０００６】
追加の実施例を以下に記載する。
【０００７】
本開示は、実施例として図示されるが、同様の参照番号が同様の要素を示す添付の図面に限定されない。
【図面の簡単な説明】
【０００８】
【図１】例示的なエジェクタベースのリニア・システムの図である。
【図２】例示的なロータリ式圧力脈動システムの図である。
【図３】２つの場活性再生器モジュールを備える例示的なシステムの操作の逐次的な段階の図である。
【図４】場活性再生器モジュールおよびポンプを備える例示的なシステムの図である。
【図５】例示的な方法の流れ図を図示する。
【図６】例示的なコンピューティング・システムを図示する。
【発明を実施するための形態】
【０００９】
以下の説明および図面（参照として本開示に含まれる内容）において要素間のさまざまな接続を記載することに留意する。特に指定されない限り一般にこれらの接続が直接的または間接的であってもよいこと、および本明細書がこの点において限定することを意図されないことに留意する。この点において、エンティティ間の結合は、直接接続または間接接続のいずれか一方を指してもよい。
【００１０】
装置、システム、および方法の例示的な実施例は、１つまたは複数の再生器にわたる伝熱流体の移動および周囲空気とこの流体の混合を制御するために記載される。
【００１１】
いくつかの実施例において、伝熱流体は、熱いおよび冷たい周囲空気であってもよい。
【００１２】
いくつかの実施例において、再生器と密接に接触している伝熱流体は、中間熱交換器により周囲空気との混合から隔離されてもよい。
【００１３】
いくつかの実施例において、再生器の低温および高温側に同期交番圧力振動を提供してもよい。冷却を提供するために低温および高温側のこの圧力は、同期されてもよく、それによって、再生サイクルの冷却部分の際に屋内にこの流体を押し出し、再生サイクルの加熱部分の際に屋外に流体を押し出す。この工程は、反転され加熱を提供する。圧力振動は、リニア・アクチュエータまたはロータリ・ファン設計を介して達成されてもよい。
【００１４】
図１を参照して、冷却モードで動作するエジェクタベースのリニア・システム１００を示す。このシステム１００は、低温側（例えば、屋内）でバルブ１０２を閉じ、圧力を上昇させて注入口１０４から、電気熱量ヒート・ポンプ（ＥＣＨＰ）装置のようなヒート・ポンプ装置１１０に流体流を押し込むことで冷却を達成する。バルブ１１８を高温側（例えば、屋外）で同時に開く。次に、バルブ１０２を開きバルブ１１８を閉じて、注入口１２０および装置１１０からこの流体を吸入して低温側に戻し、エジェクタのように動作する。この機構は、周囲空気と再生器からの熱いまたは冷たい流体の混合を強化していて、決して再生器からの熱いまたは冷たい流体を混合なしで簡単に吸入して再生器に戻さない。
【００１５】
上記で言及された圧力レベルをヒート・ポンプ作動のために切り替える。
【００１６】
圧力振動は、最適な性能を得るため活性物質１１０に適用される場と特定の位相のずれで同期されてもよく、この位相のずれは、異なる能力および上昇のために変化する可能性がある。また、圧力振動の持続時間および／または形状を調節して、システム１００を通る正確な体積の流体流を提供してもよい。
【００１７】
システム１００は、１つまたは複数のファンの運転（例えば、連続運転）により発生する圧力に基づいて動作してもよい。この圧力は、バルブ１０２および１１８の状態（例えば、どの程度開く、または閉じるか）により制御されてもよい。理想的には、バルブ１０２および１１８の設計は、費用を削減するためにできる限り簡単に作成されてもよい。
【００１８】
図２を参照して、冷却モードで動作するロータリ式圧力脈動システム２００を示す。このシステム２００は、再生器２２０の一方の側に１つずつ、２つのロータリ式タービン・ファン２０６および２１４を有してもよい。再生器２２０は、いくつかの実施例において、装置１１０に対応することができる。
【００１９】
低温側（例えば、屋内）および高温側（例えば、屋外）のタービン・ファン２０６および２１４のベーンは、互いに関して位相がずれていてもよく、交互に流体を再生器２２０に押し込み吸い出すことができる。ベーンは、電圧信号と同期されてもよい。
【００２０】
ベーンの形状は、再生器２２０が加熱しているときに、破線のボックス２５２を介して反映されるように、低温側のベーンが流体のコンプレッサとして動作してもよく、高温側のベーンがエキスパンダとして動作してもよく、高温側に押し出される加熱された流体をもたらしてもよいように設計されてもよい。同様に、再生器２２０が冷却モードにあるとき、破線のボックス２６０を介して反映されるように、高温側のベーンは、コンプレッサとして動作してもよく、低温側のベーンは、エキスパンダとして動作してもよく、冷たい流体を低温側に押し出す。
【００２１】
ファン２０６および２１４のベーンは、ベーンまたはファンに近接して局所的な圧力または圧力差を生成するために使用されてもよい。ファン、ベーン、またはブレードの速度、位相、および位置を制御して（例えば、時間制御して）、前後に流体の適切な移動および周囲空気との混合を得てもよい。
【００２２】
図３を参照して、１つまたは複数の実施例に従うシステム３００を示す。システム３００は、２つの再生ユニット３０４および３１２間で交互に切り替えられ連続的な空間加熱／冷却を提供する、連続した熱いおよび冷たい流体ストリームを含む２つの再生装置または再生ユニット３０４および３１２を含んでもよい。ユニット３０４および／またはユニット３１２は、装置１１０および装置２２０のうちの１つまたは複数に対応してもよい。
【００２３】
屋内空間の冷却サイクルは、図３で参照されるが、簡単に１８０度位相をずらすことで、システム３００は、屋内空間加熱のために使用されることが可能である。システム３００は、冷却のために使用されるときに、以下でより詳細に記載されるように２つのモードを含んでもよい。
【００２４】
第１のモード（図３で中央の双方向矢印の左手側に示される）において、屋外からの高温の周囲流体ストリーム３２０は、再生サイクルの冷却部分を実現し得るユニット３１２内へと切り替えられてもよい。ユニット３１２内で屋内周囲を下回り冷却された流体は、屋内に押し出されてもよく、新規の高温の屋外流体ストリーム３２０は、ユニット３１２に入ってもよい。その間に、低温の周囲流体ストリーム３２８は、再生サイクルの加熱部分を実現し得るユニット３０４内へと切り替えられてもよい。ユニット３０４内で屋外温度を超えて加熱された流体は、新規の屋内流体ストリーム３２８をユニット３０４内に入れる場合に屋外にパージされてもよい。
【００２５】
第２のモード（図３で中央の双方向矢印の右手側に示される）において、流れストリーム３２０および３２８は、第１のモードに対してユニット３０４および３１２間で反転してもよい。屋外からの高温の周囲流体ストリーム３２０は、ユニット３１２から、今や再生サイクルの冷却部分を実現し得るユニット３０４へと切り替えられてもよい。ユニット３０４内で屋内周囲を下回り冷却された流体は、屋内に押し出されてもよく、新規の高温の屋外流体ストリーム３２０は、ユニット３０４に入ってもよい。その間に、低温の周囲流体ストリーム３２８は、再生サイクルの加熱部分を実現し得るユニット３１２に切り替えられてもよい。ユニット３１２内で屋外温度を超えて加熱された流体は、屋内流体ストリーム３２８をユニット３１２に入れる場合に屋外にパージされてもよい。
【００２６】
図３のシステム３００は、再生器装置３０４および３１２にわたる、またはこれらを通る流体の移動の指向方向について互いに関して位相が（実質的に）１８０度ずらされる２つの再生器装置３０４および３１２の使用を描写する。１８０度からの逸脱は、効率の損失を表してもよい。
【００２７】
図３を参照して、所与の実施例において任意の数の再生器装置を使用してもよい。使用される再生器装置数は、所与の適用環境で必要とされる可能性がある加熱または冷却能力の関数であってもよい。２つの追加の装置（例えば、第１の追加の装置３０４および第２の追加の装置３１２）を加える実施例として、２つの追加の装置３０４および３１２の組み合わせは、装置３０４および３１２の組み合わせに関して９０度の位相ずれで動作してもよい。
【００２８】
いくつかの実施例において、チェックおよびベントと共に正の変位を使用して、流体の同期された交互ポンプ送りにより再生を提供してもよい。いくつかの実施例において、ポンプ送り機構およびチェックは、それぞれ、ピストン／電磁駆動膜およびフラッパ／ポペット・バルブを含んでもよい。
【００２９】
図４を参照して、１つまたは複数の実施例に従うシステム４００を示す。システム４００は、再生装置またはユニット４１０を含んでもよい。装置４１０は、装置３０４、装置３１２、装置２２０、および装置１１０のうちの１つまたは複数に対応してもよい。
【００３０】
システム４００は、リニア・ポンプ、ピストン・ポンプなどのような任意の数または種類のポンプを含んでもよい。第１のポンプ４０４ａは、屋内空間または環境と関連してもよく、第２のポンプ４０４ｂは、屋外空間または環境と関連してもよい。ポンプ４０４ａおよび４０４ｂは、不連続な様式または方式で操作されてもよく、経時的に流体流を制御するために使用されてもよい。
【００３１】
各ポンプ４０４ａおよび４０４ｂは、ポンプ用にそれぞれの流体の注入口を選択的に開く、または閉じることができるチェック（図４でポンプの底部に示される）を含んでもよい。各ポンプ４０４ａおよび４０４ｂは、ポンプ用にそれぞれの流体の排出口を選択的に開く、または閉じてもよいベント（図４でポンプ頂部に示される）を含んでもよい。各ポンプ４０４ａおよび４０４ｂと関連したチェックおよびベントの状態は、経時的に制御された流体流を提供するために制御されてもよい。
【００３２】
システム４００は、屋内空間用の加熱または冷却を提供するように構成されてもよい。図４に示された例示的な一連の操作＃１〜＃４は、屋内空間の冷却目的のために以下で説明される。本開示に基づき、同様の一連の操作を屋内空間の加熱目的のために構築可能であることを当業者は理解するであろう。
【００３３】
操作＃１において、再生要素または装置４１０は、加熱サイクルを実現してもよい。低温／屋内側の流体は、ポンプ４０４ｂと関連したラッチ解除されたベントを通して高温／屋外側にこの流体を押し出してもよい、装置４１０の方向へポンプ４０４ａにより押されてもよい。操作＃１中に、ポンプ４０４ａと関連したベントおよびチェックは、それぞれラッチを掛けられて閉口してもよい。操作＃１中に、ポンプ４０４ｂと関連したチェックは、閉口してもよい。
【００３４】
操作＃２において、低温／屋内側の流体ポンプ４０４ａは、電源遮断され、切り離され、または外されてもよい。ポンプ４０４ａと関連したチェックは、開口して、低温の周囲流体を導入してもよい。操作＃２中に、ポンプ４０４ａと関連したベントにラッチを掛けてもよい。操作＃２中に、ポンプ４０４ｂと関連したベントにラッチを掛けてもよい。操作＃２中に、ポンプ４０４ｂと関連したチェックは、開口する、またはわずかに開口してもよい。操作＃２で開口している２つのチェックに基づき装置４１０にわたる（圧力）差を確立してもよい。
【００３５】
操作＃３において、再生要素または装置４１０は、冷却サイクルを実現してもよい。高温／屋外側の流体は、ポンプ４０４ａと関連したラッチ解除されたベントを通して低温／屋内側にこの流体を押し出してもよい、装置４１０の方向へポンプ４０４ｂにより押されてもよい。操作＃３中に、ポンプ４０４ｂと関連したベントおよびチェックは、それぞれラッチを掛けられ閉口してもよい。操作＃３中に、ポンプ４０４ａと関連したチェックは、閉口してもよい。
【００３６】
操作＃４において、高温／屋外側の流体ポンプ４０４ｂは、電源遮断され、切り離され、または外されてもよい。ポンプ４０４ｂと関連したチェックは、開口して、高温の周囲流体を導入してもよい。操作＃４中に、ポンプ４０４ａと関連したベントにラッチを掛けてもよい。操作＃４中に、ポンプ４０４ｂと関連したベントにラッチを掛けてもよい。操作＃４中に、ポンプ４０４ａと関連したチェックは、開口する、またはわずかに開口してもよい。操作＃４で開口している２つのチェックに基づき装置４１０にわたる（圧力）差を確立してもよい。
【００３７】
操作＃２において、ポンプ４０４ｂと関連したチェックは、開口している、またはわずかに開口しているとして上記で説明した。同様に操作＃４において、ポンプ４０４ａと関連したチェックは、開口している、またはわずかに開口しているとして上記で説明した。このような状況下で参照されたチェックの状態は、チェックの受動的な制御に基づいてもよい。理想的には、ポンプ４０４ｂと関連したチェックは、操作＃２で閉口してもよく、ポンプ４０４ａと関連したチェックは、操作＃４で閉口してもよく、システムの性能または効率を高める。チェックのこのような閉口を提供するために、受動的な制御の使用に比べて潜在的に大きな費用で能動的な制御システムを使用してもよい。このようにして、所与の適用において性能／効率および費用間のトレードオフを行ってもよい。
【００３８】
図５を参照して、例示的な方法５００の流れ図を示す。方法５００は、本明細書で説明されたもののような、１つまたは複数のシステム、構成要素、または装置に関連して使用されてもよい。方法５００は、屋内環境のような、環境への加熱または冷却を提供するために使用されてもよい。
【００３９】
ブロック５０２において、仕様を取得してもよい。この仕様は、環境と関連した１つまたは複数の要求を含んでもよい。例えば、仕様は、暖房、換気、および空調（ＨＶＡＣ）システムが提供する必要があり得る、能力、負荷、または温度上昇に関連したパラメータを含んでもよい。
【００４０】
ブロック５０４において、制御システムは、ブロック５０２の仕様または要求に潜在的に基づき設計または構成されてもよい。制御システムは、１つまたは複数の再生器装置での流体流の移動および周囲空気とこの流体流の混合を制御するように構成されてもよい。
【００４１】
ブロック５０６において、ＨＶＡＣおよび／または制御システムを展開してもよい。ブロック５０６の一部として、システムは、使用のために電源投入または作動されてもよい。
【００４２】
ブロック５０８において、ブロック５０６のシステム（複数を含む）の性能を監視してもよい。ブロック５０８の一部分として、１つまたは複数のパラメータを変更または調整してもよい。例えば、１つのパラメータを変更または調整して、システムの効率を高めてもよい。潜在的にユーザ入力に基づき、またはこれに応じて、パラメータを変更して異なる気候（例えば、より高温な屋内温度）を提供してもよい。
【００４３】
方法５００は、例示である。いくつかの実施例において、ブロックまたは操作（またはそれらの一部）のうちの１つまたは複数は、任意選択であってもよい。いくつかの実施例において、示されない１つまたは複数のブロックまたは操作を含んでもよい。いくつかの実施例において、ブロックまたは操作は、示されたものと異なる順序または連続で実行してもよい。
【００４４】
図６は、１つまたは複数の実施例に従うコンピューティング・システム６００を説明する。コンピューティング・システム６００は、ＨＶＡＣシステムを制御する制御システムのような、制御システムとして使用されてもよい。
【００４５】
システム６００は、１つまたは複数のプロセッサ６０２およびメモリ６０４を含んでもよい。メモリ６０４は、実行可能命令を格納してもよい。実行可能命令は、１つまたは複数のアプリケーション、プロセス、ルーチン、プロシージャ、方法などと関連するような、任意の方式で、かつ抽象化の任意のレベルで格納または編成されてもよい。この命令は、１つまたは複数のプロセッサ６０２で実行されるときに、本明細書で記載されたもののような、１つまたは複数の方法論的な行為をシステム６００に実行させてもよい。
【００４６】
いくつかの実施例において、システム６００は、プログラマブルロジックデバイス（ＰＬＤ）、フィールド・プログラマブル・ゲート・アレイ（ＦＰＧＡ）など（図６で図示せず）のような、論理回路を含んでもよい。
【００４７】
システム６００は、１つまたは複数の入力／出力（Ｉ／Ｏ）デバイス６０６を含んでもよい。このＩ／Ｏデバイス（複数を含む）６０６は、キーボードまたはキーパッド、タッチスクリーンまたはタッチ・パネル、表示画面、マイクロフォン、スピーカ、マウス、ボタン、リモコン、ジョイスティック、プリンタ、電話またはモバイル機器（例えば、スマートフォン）、センサなどのうちの１つまたは複数を含んでもよい。Ｉ／Ｏデバイス（複数を含む）６０６は、インタフェースを提供してユーザがシステム６００と相互に作用することを可能にするように構成されてもよい。例えば、Ｉ／Ｏデバイス（複数を含む）６０６は、グラフィカル・ユーザ・インタフェース（ＧＵＩ）および／またはボイス・トゥ・テキスト能力を支援してもよい。
【００４８】
本開示の実施例は、コンパクトな方式で振動流およびバルク流の混合を達成するために使用されてもよい。実施例は、簡素さおよび効率を向上させる活性物質と直接接触している、空気のような任意の作動流体を利用してもよい、または中間熱交換器を使用して周囲空気から活性物質に接触する伝熱媒体を隔離してもよい。いくつかの実施例において、帯状の個人用の空間の加熱／冷却を提供してもよい。本開示の実施例は、ごく少数のリニア機械式変位部品を有してもよいため、所与のシステムの信頼性および利用可能性を改善する。
【００４９】
本開示の実施例は、電気熱量および磁気熱量の熱発生器のような、活性再生加熱／冷却システムで使用されてもよい。また本明細書で記載された流体処理は、例えば、活性再生システムを使用する発電に適用されてもよい。このような技術は、廃熱回収および一次発電のために使用されてもよい。
【００５０】
本明細書で記載されるように、いくつかの実施例において、さまざまな機能または行為は、所与の位置で、および／または１つまたは複数の機器、システム、または装置の操作と関連して行ってもよい。例えば、いくつかの実施例において、所与の機能または行為の一部は、第１の装置または位置で実行されてもよく、機能または行為の残りは、１つまたは複数の追加の装置または位置で実行されてもよい。
【００５１】
本開示の態様は、これらの例示的な実施例に関して記載されている。添付の特許請求の範囲の趣旨および範囲内の多数の他の実施例、修正形態および変形形態は、本開示の検討から当業者に想起させるであろう。例えば、例示的な図面と併せて記載されたステップが列挙された順序以外で実行されてもよいこと、および図示された１つまたは複数のステップが任意選択であってもよいことを当業者は理解するであろう。
【図１】
2017516053.tif 000003
【図２】
2017516053.tif 000004
【図３】
2017516053.tif 000005
【図４】
2017516053.tif 000006
【図５】
2017516053.tif 000007
【図６】
2017516053.tif 000008
【国際調査報告】
2017516053.tif 000009
2017516053.tif 000010
2017516053.tif 000011